(57)【要約】【課題】遮音性や断熱性に優れた内障子構造を提供する。【解決手段】内障子３が、障子本体５と引手部材６とを備え、引手部材６に内障子３の幅寸法を調整するための調整代Ｔ２が設けられるともに、建具枠側に向く先端面に凹溝７が形成され、建具枠４の縦枠４１には、前記凹溝７が嵌合する凸条１３が設けられ、前記内障子３は、前記調整代Ｔ２を現場で削ることによって、内障子３の閉鎖位置において、引手部材６の先端面が前記縦枠４１に密接するとともに、凹溝７が凸条１３に嵌合すべく、幅寸法が調整されている。したがって、内障子３の引手部材６と建具枠４の縦枠４１との間に、隙間が生じることがなく、かつ、凹溝７が凸条１３に確実に嵌合しているので、遮音性や断熱性に優れたものとなる。【選択図】図２
2008127929.tif 000002
【特許請求の範囲】
【請求項１】
建物の外壁の開口部に設けられたサッシより室内側に設けられた内障子構造であって、
前記サッシより室内側に設けられた建具枠に、引違い式の内障子が設けられており、
前記内障子が、障子本体とこの障子本体の側端面に取り付けられ、障子本体の上下に亘って延在する引手部材とを備え、
前記引手部材には、前記内障子の幅寸法を調整するための調整代が設けられるともに、建具枠側に向く先端面に凹溝が形成されており、
前記建具枠の縦枠には、前記凹溝が嵌合する凸条が設けられており、
前記内障子は、前記調整代を現場で削ることによって、前記内障子の閉鎖位置において、前記引手部材の先端面が前記縦枠に密接するとともに、前記凹溝が凸条に嵌合すべく、幅寸法が調整されていることを特徴とする内障子構造。
【請求項２】
請求項１に記載の内障子構造において、
前記障子本体と、引手部材との境界部には、該境界部を覆うカバーが設けられていることを特徴とする内障子構造。
【請求項３】
請求項１または２に記載の内障子構造において、
前記障子本体の下端面には、前記建具枠の敷居に形成された溝の底を転動するローラが設けられるとともに、このローラの前記障子本体の下端面からの突出長さより僅かに小さく突出する調整材が、前記ローラを挟んで前記障子本体の下端面長手方向に沿って設けられていることを特徴とする内障子構造。
【請求項４】
請求項１〜３のいずれか一項に記載の内障子構造において、
前記建具枠の鴨居には、断面Ｅ字型のレールが設けられており、
前記内障子の上部には、前記レールに係合する係合部が設けられていることを特徴とする内障子構造。
【請求項５】
請求項１〜４のいずれか一項に記載の内障子構造において、
前記引違い式の一方の内障子と、他方の内障子との召し合せ部には、内障子の閉鎖位置において、互いに接触し合うモヘアが設けられていることを特徴とする内障子構造。
【発明の詳細な説明】
【技術分野】
【０００１】
本発明は、建物の外壁の開口部に設けられたサッシの内側に取り付けられた内障子構造に関する。
【背景技術】
【０００２】
建物の外壁に設けた開口部にはサッシ戸が設けてあって採光できるようにしているが、直射日光を遮光したり、あるいは、屋外からサッシ戸を通して室内が見えないようにしたり、あるいは、室内インテリア等を目的として、開口部のサッシ戸よりも室内側にサッシ戸に隣接して内障子を開閉自在に設ける場合がある（例えば、特許文献１参照）。
上記サッシ戸の屋内側に隣接して設けられる従来の内障子は、障子枠に障子紙を貼って構成してあるだけのものであった。
【特許文献１】特開２０００−３０３５５４号公報
【発明の開示】
【発明が解決しようとする課題】
【０００３】
ところで、前記従来の内障子では、その閉鎖位置において、内障子の縦框が、建具枠の縦枠に当接するが、内障子であるがために密閉性はさほど考慮されておらず、よって、内障子の縦框と建具枠の縦枠との間に、隙間が生じる場合がある。
このような隙間が生じると、遮音性能や断熱性能が低下する。特に、近年建物の外壁は内部に遮音材や断熱材を配置することで、遮音性や断熱性に優れたものとなっているが、開口部の部分は上記のようにサッシ戸と内障子で閉じるものであるから、外壁の開口部以外の部分に比べて、遮音性や断熱性が著しく低いという問題がある。
【０００４】
本発明は上記事情に鑑みてなされたもので、遮音性や断熱性に優れた内障子構造を提供することを課題としている。
【課題を解決するための手段】
【０００５】
上記課題を解決するために、請求項１に記載の発明は、例えば図１〜図４に示すように、建物の外壁の開口部１に設けられたサッシ２より室内側に設けられた内障子構造であって、
前記サッシ２より室内側に設けられた建具枠４に、引違い式の内障子３，３が設けられており、
前記内障子３が、障子本体５とこの障子本体５の側端面に取り付けられ、障子本体５の上下に亘って延在する引手部材６とを備え、
前記引手部材６には、前記内障子３の幅寸法を調整するための調整代Ｔ２が設けられるともに、建具枠側に向く先端面に凹溝７が形成されており、
前記建具枠４の縦枠４１には、前記凹溝７が嵌合する凸条１３が設けられており、
前記内障子３は、前記調整代Ｔ２を現場で削ることによって、前記内障子３の閉鎖位置において、前記引手部材６の先端面が前記縦枠４１に密接するとともに、前記凹溝７が凸条１３に嵌合すべく、幅寸法が調整されていることを特徴とする。
【０００６】
請求項１に記載の発明によれば、内障子３は、引手部材６を障子本体５に取り付ける前に、前記引手部材６の調整代Ｔ２を現場で削ることによって、内障子３の閉鎖位置において、引手部材６の先端面が建具枠４の縦枠４１に密接するとともに、引手部材６の凹溝７が建具枠４の縦枠４１の凸条１３に嵌合すべく、幅寸法が調整されているので、内障子３の引手部材６と建具枠４の縦枠４１との間に、隙間が生じることがなく、かつ、凹溝７が凸条１３に確実に嵌合している。したがって、遮音性や断熱性に優れたものとなる。
【０００７】
請求項２に記載の発明は、請求項１に記載の内障子構造において、
前記障子本体５と、引手部材６との境界部には、該境界部を覆うカバー１１が設けられていることを特徴とする。
【０００８】
このカバー１１は、障子本体５に引手部材６を取り付けた後に、障子本体５と引手部材６との境界部を覆うようにして設けてもよいし、予め、障子本体５にカバー１１を前記境界部を覆うことができるように取り付けておき、その後、障子本体５に引手部材６を取り付けてもよい。
【０００９】
請求項２に記載の発明によれば、障子本体５と引手部材６との境界部に、該境界部を覆うカバー１１が設けられているので、前記引手部材６の調整代Ｔ２を現場で削っても、前記境界部を覆うことができ、仕上がりが良好なものとなる。
【００１０】
請求項３に記載の発明は、例えば図５〜図７に示すように、請求項１または２に記載の内障子構造において、
前記障子本体５の下端面には、前記建具枠４の敷居４ａに形成された溝１５の底を転動するローラ１４が設けられるとともに、このローラ１４の前記障子本体５の下端面からの突出長さより僅かに小さく突出する調整材１６が、前記ローラ１４を挟んで前記障子本体５の下端面長手方向に沿って設けられていることを特徴とする。
【００１１】
請求項３に記載の発明によれば、敷居４ａに形成された溝１５の底を転動するローラ１６によって、障子本体５と溝１５の底との間には、隙間が生じるが、この隙間の殆どが障子本体５の下端面に設けられた調整材１６によって閉塞されるので、さらに、遮音性や断熱性に優れたものとなる。
【００１２】
請求項４に記載の発明は、例えば図８および図９に示すように、請求項１〜３のいずれか一項に記載の内障子構造において、
前記建具枠４の鴨居４ｂには、断面Ｅ字型のレール１８が設けられており、
前記内障子３の上部には、前記レール１８に係合する係合部２０が設けられていることを特徴とする。
【００１３】
請求項４に記載の発明によれば、内障子３の上部に、鴨居４ｂに設けられたレール１８に係合する係合部２０が設けられているので、内障子３の上部と鴨居４ｂとの間に生じる隙間を閉塞することができ、よって、さらに、遮音性や断熱性に優れたものとなる。
【００１４】
請求項５に記載の発明は、例えば図１０に示すように、請求項１〜４のいずれか一項に記載の内障子構造において、
前記引違い式の一方の内障子３と、他方の内障子３との召し合せ部には、内障子３，３の閉鎖位置において、互いに接触し合うモヘア２１，２１が設けられていることを特徴とする。
【００１５】
請求項５に記載の発明によれば、内障子３，３どうしの召し合せ部に、内障子３，３の閉鎖位置において、互いに接触し合うモヘア２１，２１が設けられているので、召し合せ部間の隙間をモヘア２１，２１によって閉塞することができ、よって、さらに、遮音性や断熱性に優れたものとなる。
【発明の効果】
【００１６】
本発明によれば、内障子が、障子本体とこの障子本体の側端面に取り付けられ、障子本体の上下に亘って延在する引手部材とを備え、この引手部材には、内障子の幅寸法を調整するための調整代が設けられるともに、先端面に凹溝が形成されており、前記建具枠の縦枠には、前記凹溝が嵌合する凸条が設けられており、前記内障子は、前記調整代を現場で削ることによって、前記内障子の閉鎖位置において、前記引手部材の先端面が前記縦枠に密接するとともに、前記凹溝が凸条に嵌合すべく、幅寸法が調整されているので、内障子の引手部材と建具枠の縦枠との間に、隙間が生じることがなく、かつ、凹溝が凸条に確実に嵌合している。したがって、遮音性や断熱性に優れたものとなる。
【発明を実施するための最良の形態】
【００１７】
以下図面を参照して本発明の実施の形態について説明する。
図１は本発明に係る内障子構造を示す斜視図である。図１に示すように、建物の外壁の開口部１には、サッシ２が設けられており、このサッシ２より室内側に該サッシ２と所定の間隔をもって、内障子３，３が設けられている。内障子３は建具枠４に設けられた引違い式の引戸であり、障子本体５とこの障子本体５の側端面に取り付けられ、障子本体５の上下に亘って延在する引手部材６とを備えている。
【００１８】
障子本体５は、左右の縦框と上下の横框とを矩形枠状に組み立ててなる枠体の内側に、ガラス板５ｂをはめ込んでなるものであり、その縦框に引手部材６が取り付けられている。
引手部材６は、図２〜図４に示すように、上下に長尺な棒状部材によって形成されたものであり、その建具枠側に向く先端面には凹溝７が引手部材６の長手方向に延在して形成されている。また、引手部材６の障子本体側を向く部位には、所定の幅寸法を有する調整代Ｔ１が設けられており、この調整代Ｔ１は所定の長さだけ現場で削られるようになっている。つまり、調整代Ｔ１を所定量だけ削ることによって、内障子３の幅寸法を調整するようになっている。
【００１９】
また、引手部材６の両側面には、それぞれ凹部８が上下に延在して形成されており、この凹部８に手を引っ掛けて引くことによって、内障子３を開閉方向に移動させるようになっている。
さらに、引手部材６の先端面には、両側面側から突出する突条９，９が上下に延在して形成されており、これによって、突条９，９間には、前記凹溝７より浅い溝１０が形成されている。
また、引手部材６の厚さは、障子本体５の厚さと等しくなっており、該引手部材６の障子本体側を向く面が障子本体５の側端面に接着剤によって接着固定されている。この障子本体５と、引手部材６との境界部には、該境界部を覆うカバー１１，１１が設けられている。このカバー１１，１１は、予め障子本体５に取り付けられており、このカバー１１，１１と障子本体５の側端面とによって凹所が形成されている。そして、この凹所に調整代Ｔ１が削られた引手部材６が挿入されるようになっている。
【００２０】
一方、建具枠４の縦枠４１には、断面Ｔ字型のアングル材１２が取り付けられており、このアングル材１２の一片が、前記凹溝７に嵌合する凸条１３とされている。そして、前記アングル材１２の幅は、前記溝１０の幅とほぼ等しいか若干小さくなっており、また、アングル材１２の基部の厚さは溝１０の深さとほぼ等しいか若干小さくなっている。また、凸条１３の突出長さは、前記凹溝７の深さをほぼ等しいか若干小さくなっている。
したがって、引手部材６の先端面を建具枠４の縦枠４１に当接(密接)すると、溝１０にアングル材１２に基部が嵌合するとともに、凹溝７に凸条１３が嵌合するようになっている。
【００２１】
前記障子本体５の下端面には、図５に示すように、ローラ１４が回転可能に取り付けられている。このローラ１４の上半分は障子本体５の下端面に形成された凹所に配設されており、下半分は障子本体５の下端面から突出している。ローラ１４は障子本体５の下端面において、障子本体の幅方向に左右一対離間して設けられている。
一方、建具枠４の敷居４ａには、図６および図７に示すように、溝１５が形成されており、この溝１５の底を前記ローラ１４が転動するようになっている。
また、障子本体５の下端面には、ローラ１４の障子本体５の下端面からの突出長さより僅かに小さく突出する調整材１６が、ローラ１４を挟んで障子本体５の下端面長手方向に沿って設けられている。この調整材１６は敷居４ａの溝１５に摺動自在に嵌り込んでおり、内障子３が開閉方向に移動する際に、溝１５内を摺動自在に移動するようになっている。
【００２２】
また、図８および図９に示すように、建具枠４の鴨居４ｂには、溝１７が形成されており、この溝１７には、断面Ｅ字型のレール１８が設けられている。
一方、内障子３の上部には係合部２０が設けられている。この係合部２０は、横長の棒状部材によって形成されたものであり、障子本体５の上端面に接着剤によって取り付けられている。係合部２０の下部には、つまり、障子本体側を向く部位には、所定の幅寸法を有する調整代Ｔ２が設けられており、この調整代Ｔ２は所定の長さだけ現場で削られるようになっている。つまり、調整代Ｔ２を所定量だけ削ることによって、内障子３の上下寸法を調整するようになっている。
また、係合部２０の上部には、凹溝２０ａが形成されており、これによって、凹溝２０ａの両側に凸条２０ｂ，２０ｂが形成されている。そして、係合部２０の凹溝２０に前記レール１８の中央片１８ａが相対的に摺動自在に係合し、係合部２０の凸条２０ｂ，２０ｂがレール１８の中央片１８ａの両側にある溝１８ｂ，１８ｂが摺動自在に係合している。
【００２３】
さらに、図１０に示すように、一方の内障子３と、他方の内障子３との召し合せ部には、内障子３，３の閉鎖位置において、互いに接触し合うモヘア２１，２１が設けられており、該モヘア２１，２１が接触し合うことによって、召し合せ部の隙間を閉塞するようになっている。
【００２４】
上記のような構成の内障子３，３を建具枠４にはめ込む場合、内障子３，３の閉鎖位置において、引手部材６，６の先端面が建具枠４の縦枠４１に密接するとともに、引手部材６，６の凹溝７，７が建具枠４の縦枠４１，４１の凸条１３，１３に嵌合すべく、引手部材６，６の調整代Ｔ１，Ｔ１を現場で所定寸法だけ削り取り、その引手部材６，６を障子本体５，５の側端面に接着剤によって接着固定する。
このように、内障子３，３は幅寸法が調整されているので、内障子３，３の引手部材６，６と建具枠４の縦枠４１との間に、隙間が生じることがなく、かつ、凹溝７が凸条１３に確実に嵌合している。したがって、遮音性や断熱性に優れたものとなる。
また、障子本体５と引手部材６との境界部に、該境界部を覆うカバー１１が設けられているので、引手部材６の調整代を現場で削っても、前記境界部を覆うことができ、仕上がりが良好なものとなる。
【００２５】
また、内障子３の上部に取り付ける係合部２０の調整代Ｔ２を現場で所定寸法だけ削り取り、その係合部２０を障子本体５の上端面に接着剤によって接着固定する。これによって、内障子３の上下の寸法が調整されるので、係合部２０の凹溝２０にレール１８の中央片１８ａが係合し、係合部２０の凸条２０ｂ，２０ｂがレール１８の中央片１８ａの両側にある溝１８ｂ，１８ｂが係合する。したがって、内障子３の上部においても、遮音性や断熱性に優れたものとなる。
【００２６】
さらに、敷居４ａに形成された溝１５の底を転動するローラ１４によって、障子本体５と溝１５の底との間には、隙間が生じるが、この隙間の殆どが障子本体５の下端面に設けられた調整材１６によって閉塞されるので、さらに、遮音性や断熱性に優れたものとなる。
加えて、内障子３，３どうしの召し合せ部に、内障子３，３の閉鎖位置において、互いに接触し合うモヘア２１，２１が設けられているので、召し合せ部間の隙間をモヘア２１，２１によって閉塞することができ、よって、さらに、遮音性や断熱性に優れたものとなる。
【図面の簡単な説明】
【００２７】
【図１】本発明に係る内障子構造の一例を示すもので、その外観斜視図である。
【図２】同、内障子の側端部の要部を示す斜視図である。
【図３】同、引手部材と縦框に設けられたアングル材を示す平断面である。
【図４】同、引手部材の凹溝と建具枠の凸条とが嵌合する状態を示す平断面図である。
【図５】同、内障子の下端部の要部を示す斜視図である。
【図６】同、内障子が敷居に係合している状態を示す要部の斜視図である。
【図７】同、内障子が敷居に係合している状態を示す縦断面図である。
【図８】同、内障子が鴨居に係合している状態を示す要部の斜視図である。
【図９】同、内障子が鴨居に係合している状態を示す縦断面図である。
【図１０】同、内障子どうしの召し合せ部を示す平断面図である。
【符号の説明】
【００２８】
１  開口部
２  サッシ
３  内障子
４  建具枠
４１  縦枠
５  障子本体
６  引手部材
７  凹溝
１１  カバー
１３  凸条
１４  ローラ
１５  溝
１６  調整材
１８  レール
２０  係合部
２１  モヘア
【図１】
2008127929.tif 000003
【図２】
2008127929.tif 000004
【図３】
2008127929.tif 000005
【図４】
2008127929.tif 000006
【図５】
2008127929.tif 000007
【図６】
2008127929.tif 000008
【図７】
2008127929.tif 000009
【図８】
2008127929.tif 000010
【図９】
2008127929.tif 000011
【図１０】
2008127929.tif 000012